(57)【要約】【課題】目視で読み取った点検値を、携帯情報端末に書き込む際、及びＲＦＩＤに書き込む際に、機器間違いが生じないようにする。【解決手段】点検対象機器１０に取り付けたＲＦＩＤタグ１２と、該ＲＦＩＤタグとの間でデータを非接触方式で送受可能な携帯情報端末１４と、携帯情報端末の点検データを蓄積可能な管理用ＰＣ１６とを使用する巡視点検方法である。ＲＦＩＤ内に機器の特定情報と過去の情報が記憶されており、携帯情報端末は、ＲＦＩＤのデータを読み取ったとき、機器に対応した点検値入力画面が現れて、記憶されている当該機器のデータが表示されると共に、目視で読み取った当該機器の点検値を該点検値入力画面から入力可能とし、入力した値を点検値として携帯情報端末に書き込む際にＲＦＩＤにも当該機器の特定情報と照合して最新の点検値として書き込むようにする。【選択図】図１
2010061262.tif 000002
【特許請求の範囲】
【請求項１】
点検対象となる複数の機器にそれぞれ取り付けられたＲＦＩＤタグと、該ＲＦＩＤタグとの間でデータを非接触方式で送受可能な携帯情報端末と、該携帯情報端末の点検データを蓄積可能な管理用ＰＣとを使用し、
前記ＲＦＩＤ内には、少なくとも該ＲＦＩＤタグが取り付けられている機器の特定情報と点検値を含む過去の情報が記憶されており、携帯情報端末は、ＲＦＩＤのデータを読み取ったとき、該ＲＦＩＤタグが取り付けられている機器に対応した点検値入力画面が現れて、記憶されている当該機器のデータが表示されると共に、目視で読み取った当該機器の点検値を該点検値入力画面から入力可能とし、入力した値を点検値として携帯情報端末に書き込む際にＲＦＩＤにも当該機器の特定情報と照合して最新の点検値として書き込むようにし、巡視点検後、携帯情報端末の点検データを管理用ＰＣのデータベースに格納することを特徴とするＲＦＩＤによる巡視点検方法。
【請求項２】
携帯情報端末は、巡視点検の際に、その時点での点検済件数と未点検件数が更新表示されると共に、巡視点検すべき機器のリストと、それら各機器について点検済と未点検の状況の一覧が画面表示され、未点検件数があるにもかかわらず巡視を終了使用とした場合に警告を発するようにした請求項１記載のＲＦＩＤによる巡視点検方法。
【請求項３】
携帯情報端末は、巡視点検の際に、ＲＦＩＤのデータを読み取ったとき、当該機器に対応した点検値入力画面が現れて、当該機器の特定情報と点検値を含む過去の情報が表示されると共に、当該機器の点検値の適正な範囲を表す管理値が画面表示され、入力した点検値が管理値から逸脱している場合に警告を発するようにした請求項１又は２記載のＲＦＩＤによる巡視点検方法。
【請求項４】
ＲＦＩＤ内に該ＲＦＩＤが取り付けられている機器の校正情報も記憶されており、巡視の際、携帯情報端末にてＲＦＩＤのデータを読み取ったとき、携帯情報端末の内部時計とＲＦＩＤ内に格納されている機器の校正年月日を比較し、校正有効期限が迫ると、携帯情報端末の画面上に当該機器の再校正が必要な旨が表示されるようにした請求項１乃至３のいずれかに記載のＲＦＩＤによる巡視点検方法。
【発明の詳細な説明】
【技術分野】
【０００１】
本発明は、機器に取り付けたＲＦＩＤ（Radio Frequency Identification）の情報を利用して多数の機器の巡視点検を行う方法に関し、更に詳しく述べると、携帯情報端末でＲＦＩＤのデータを読み取り、その機器に対応した点検値入力画面を該携帯情報端末に表示させ、画面上から点検値を入力し携帯情報端末に書き込む際にＲＦＩＤにも当該機器を確認して点検値を書き込むようにすることで、容易に点検値入力作業が行えると共に誤ったＲＦＩＤへの書き込みを防止できるようにしたＲＦＩＤによる巡視点検方法に関するものである。
【背景技術】
【０００２】
原子力施設などの安全管理のためには、日常的に多数の機器（例えば各種機械、電気装置、計測計器類など）を点検し、点検履歴（点検者、点検日、点検値など）を記録・保存しておく必要がある。かつては、点検作業者が点検データシートに各機器の点検値などを書き込む手法が一般的であった。しかし、紙ベースのデータ管理では、記入ミスや転記ミスなどの恐れがあるし、また点検漏れの発生なども防止し難い。
【０００３】
紙ベースのデータ管理に代わるものとして、近年、ＲＦＩＤを利用した点検履歴管理装置が提案されている（例えば特許文献１参照）。これは、ＲＦＩＤタグから読み取られた点検履歴情報（点検実施日）を、点検対象機器を識別する識別情報と共に受け取り、識別情報の各々に対応付けて点検履歴情報を記憶させるように構成したものである。システム的には、点検対象機器にＲＦＩＤタグを取り付け、その近傍に設置されているリーダーによって読み取ったＲＦＩＤ情報を機器管理端末に送信し、他方、機器の点検を実施する毎に点検作業者がライターによってＲＦＩＤの点検履歴情報（点検実施日）を書き換えるというものである。ＲＦＩＤに記憶させるデータとしては、識別情報（機器ＩＤ）、形式、使用開始年月、点検日などが想定されている。
【０００４】
この技術は、機器の保守など点検時期の間隔が長く、点検対象機器の数が比較的少ない場合に、機器種別毎の固有の周期での定期点検や交換を実施するような用途には有用である。しかし、日常的に多数の機器を巡視点検し、点検履歴（点検日時のみならず、目視で読み取った点検値など）を記録・保存するような用途までは配慮されていない。
【０００５】
【特許文献１】特開２００７−２６１２８号公報
【発明の開示】
【発明が解決しようとする課題】
【０００６】
本発明が解決しようとする課題は、任意の点検対象機器について目視で読み取った点検値を、携帯情報端末に、当該機器の特定情報と対応させて書き込む際、及びその点検値を当該機器に取り付けられているＲＦＩＤに書き込む際、別の機器と対応させて書き込んだり、別のＲＦＩＤに書き込むような間違いを防止でき、日常的に多数の機器を巡視点検するにあたって機器間違いが生じないようにし、点検履歴（点検日時のみならず、目視で読み取った点検値など）を電子データとして正確に且つ容易に記録・保存できるようにすることである。本発明が解決しようとする他の課題は、日常的に多数の機器を巡視点検する際に、機器の点検忘れ（点検漏れ）を防止することである。本発明が解決しようとする更に他の課題は、携帯情報端末に点検値を入力する際に、点検現場で、その点検値が妥当であるか否かの判断を補助できるようにすることである。
【課題を解決するための手段】
【０００７】
本発明は、点検対象となる複数の機器にそれぞれ取り付けられたＲＦＩＤタグと、該ＲＦＩＤタグとの間でデータを非接触方式で送受可能な携帯情報端末と、該携帯情報端末の点検データを蓄積可能な管理用ＰＣとを使用し、前記ＲＦＩＤ内には、少なくとも該ＲＦＩＤタグが取り付けられている機器の特定情報と点検値を含む過去の情報が記憶されており、携帯情報端末は、ＲＦＩＤのデータを読み取ったとき、該ＲＦＩＤタグが取り付けられている機器に対応した点検値入力画面が現れて、記憶されている当該機器のデータが表示されると共に、目視で読み取った当該機器の点検値を該点検値入力画面から入力可能とし、入力した値を点検値として携帯情報端末に書き込む際にＲＦＩＤにも当該機器の特定情報と照合して最新の点検値として書き込むようにし、巡視点検後、携帯情報端末の点検データを管理用ＰＣのデータベースに格納することを特徴とするＲＦＩＤによる巡視点検方法である。
【０００８】
好ましくは携帯情報端末は、巡視点検の際に、その時点での点検済件数と未点検件数が更新表示されると共に、巡視点検すべき機器のリストと、それら各機器について点検済と未点検の状況の一覧が画面表示され、未点検件数があるにもかかわらず巡視を終了使用とした場合に警告を発するように構成する。また、携帯情報端末は、巡視点検の際に、ＲＦＩＤのデータを読み取ったとき、当該機器に対応した点検値入力画面が現れて、当該機器の特定情報と点検値を含む過去の情報が表示されると共に、当該機器の点検値の適正な範囲を表す管理値が画面表示され、入力した点検値が管理値から逸脱している場合に警告を発するように構成する。更に、ＲＦＩＤ内に該ＲＦＩＤが取り付けられている機器の校正情報も記憶させておけば、巡視の際、携帯情報端末にてＲＦＩＤのデータを読み取ったとき、携帯情報端末の内部時計とＲＦＩＤ内に格納されている機器の校正年月日を比較し、校正有効期限が迫ると、携帯情報端末の画面上に当該機器の再校正が必要な旨を表示させることもできる。
【発明の効果】
【０００９】
本発明に係るＲＦＩＤによる巡視点検方法では、携帯情報端末は、ＲＦＩＤのデータを読み取ったとき、該ＲＦＩＤタグが取り付けられている機器に対応した点検値入力画面が現れて、記憶されている当該機器のデータが表示されると共に、目視で読み取った当該機器の点検値を該点検値入力画面から入力可能とし、入力した値を点検値として携帯情報端末に書き込む際にＲＦＩＤにも当該機器の特定情報と照合し最新の点検値として書き込むように構成されているので、別の機器と対応させて書き込んだり、別のＲＦＩＤに書き込むような間違いを防止でき、日常的に多数の機器を巡視点検するにあたって機器間違いが生じないようにできる。また、当該点検値を携帯情報端末へ直接入力することにより、紙ベースの点検データ記録と異なり、効率よく速く点検値入力ができ、巡視点検後、携帯情報端末の点検データを管理用ＰＣのデータベースに格納するので、点検履歴（点検日時のみならず、目視で読み取った点検値など）を電子データとして正確に且つ容易に記録・保存できる。
【００１０】
また本発明によれば、携帯情報端末は、巡視点検の際に、その時点での点検済件数と未点検件数が更新表示されると共に、巡視点検すべき機器のリストと、それら各機器について点検済と未点検の状況の一覧が画面表示され、未点検件数があるにもかかわらず巡視を終了使用とした場合に警告を発するので、点検すべき多数の機器について、点検忘れ（点検漏れ）を防止でき、効率よく巡視点検ができる。
【００１１】
更に本発明によれば、携帯情報端末は、巡視点検の際に、ＲＦＩＤのデータを読み取ったとき、当該機器に対応した点検値入力画面が現れて、当該機器の特定情報と点検値を含む過去の情報が表示されると共に、当該機器の点検値の適正な範囲を表す管理値が画面表示され、入力した点検値が管理値から逸脱している場合に警告を発するので、点検現場において、入力しようとする点検値が適正な範囲内にあるか否か、点検値の妥当性の判断を補助できる。これは、入力ミスの防止（点検値の再確認）にも役立つ。
【発明を実施するための最良の形態】
【００１２】
図１は、本発明方法を実施するためのシステム構成図である。このシステムは、点検対象となる機器（現場計器）１０に取り付けられたＲＦＩＤタグ１２と、該ＲＦＩＤタグ１２との間でデータを送受可能な携帯情報端末１４と、該携帯情報端末１４の点検データを蓄積可能な管理用ＰＣ１６とを使用する。図１では、点検対象となる機器１０は１台のみ描かれているが、実際には点検対象となる機器は多数に及び、機器の１台１台について、それぞれＲＦＩＤタグが取り付けられている。携帯情報端末１４は、電池駆動で任意の点検現場に携帯でき、プログラムを内蔵し必要な情報処理ができることは無論のこと、ＲＦＩＤからのデータの読み取り機能（リーダー機能）及びＲＦＩＤへのデータの書き込み機能（ライター機能）、管理用ＰＣとの同期接続機能などを備えているものである。ＲＦＩＤタグ１２と携帯情報端末１４との間は、無線などを用いた非接触の読み取り／書き込みでデータが送受される。また携帯情報端末１４と管理用ＰＣ１６との間は、巡視点検終了後、任意の時点でデータ同期が行えるようになっており、ＣＳＶファイル形式などでデータの受け渡しが行われる。管理用ＰＣ１６のデータベースに格納されている様々なデータは、例えばＬＡＮ接続のプリンタ１８などに必要に応じて出力できる。
【００１３】
点検対象となる機器１０に取り付けられているＲＦＩＤタグ１２には、当該機器の特定情報と点検値などが記憶されている。ＲＦＩＤの記憶容量が大きければ、図２に示すように、管理値（その機器の点検値が収まるべき範囲：参考値）や過去情報（過去数回にわたる点検値の履歴）、その他の情報を記憶させておくこともできる。携帯情報端末１４は、ＲＦＩＤのデータを読み取ったとき、当該機器に対応した点検値入力画面が現れて、記憶されている当該機器のデータが表示される。この点は、本発明の特徴の一つである。当該機器のデータとは、ここでは機器の特定情報である機器名、管理値（参考値）の上限及び下限、過去の情報として前々々回点検値、前々回点検値、前回点検値などである。点検値入力画面に設けられている点検値入力欄に、目視で読み取った点検値を入力する。その入力した値を書き込む際に、当該機器の特定情報と照合してＲＦＩＤにも点検値を書き込むようにし、誤ったＲＦＩＤへの書き込みを防止すると共に、携帯情報端末において機器と点検値の対応誤りの発生を防止する。このようにして、点検対象となる多数の機器について、巡視点検し、点検値を携帯情報端末に書き込むと共に対応するＲＦＩＤに最新の点検値を書き込んでいく。なお、巡視点検すべき機器と点検件数の更新値を携帯情報端末の画面上に常時表示すると、点検忘れが生じるのを防止できる。
【００１４】
巡視点検後、携帯情報端末のデータを管理用ＰＣのデータベースに格納する。そして、必要に応じて、次の巡視点検に備えて携帯情報端末のデータ（点検者や点検値など）をリセットする。管理用ＰＣは、必要に応じて、格納されているデータベースの内容を加工して印刷出力することができる。
【００１５】
ここで、ＲＦＩＤ内に、該ＲＦＩＤが取り付けられている機器の校正情報も記憶させておき、巡視の際、携帯情報端末にてＲＦＩＤのデータを読み取ったとき、携帯情報端末の内部時計とＲＦＩＤ内に格納されている機器の校正年月日を比較し、校正有効期限が迫ると、携帯情報端末の画面上に当該機器の再校正が必要な旨を表示させるのが好ましい。原子力施設では、施設をより安全に維持管理するため、社内品質保証として計器の定期的な校正が求められている。従来、機器に次回校正年月日を記載したシール等を貼り付けて管理するのが一般的であったが、管理すべき対象が多いため、この管理は容易ではない。上記のように構成すると、再校正が必要な期日が迫ると、その機器の前で「この機器は再校正が必要である」旨の警告が画面表示されるため適切な対応を図ることができる。また、仮に警告を無視した場合でも、巡視点検の都度、校正を促されるため、再校正を忘れることは皆無となる。
【００１６】
前記の基本的な構成では、点検済件数と未点検件数を表示することにより、点検忘れを防止するようにしている。しかし、その点検場所に慣れていない点検者でも点検をスムーズに実施できるように、更にガイダンス機能を付加することも有用である。このガイダンス機能としては、例えば、点検対象となる部屋に取り付けたＲＦＩＤを読み込むことにより、携帯情報端末の画面上に当該部屋の平面図と点検箇所を表示する機能、あるいは点検忘れがあった場合、どこが点検忘れなのかを地図などで詳細表示する機能などがある。このようなガイダンス機能を付加することにより、その点検場所に慣れていない点検者でも迷うことなく所定の巡視点検を完遂することが可能となる。
【実施例】
【００１７】
図３は、本発明方法の一実施例を示す説明図であり、携帯情報端末の画面構成を示している。携帯情報端末には、巡視点検のために、使用状況に応じて、ログイン画面、区分及び機器画面、点検値入力画面の３画面のいずれかが選択的に表示され、それらの画面上で様々な操作が可能になっている。
【００１８】
ログイン画面からの操作の流れは、次の通りである。
（１）点検者は、［点検者選択］により自分の名前を選択し、何回の勤務回であるのかを［勤務回］から選択し［巡視点検シート］と［管理区域］も選択した上で［使用開始］ボタンをクリックして次画面に遷移する。なお、点検情報の入力に当たっては特にパスワードは必要としないが、システムの管理上重要な項目について操作を行う際には、システム保護の観点からパスワードの入力を要するものとする。また、同時に以下の確認を行う。
（ａ）前回点検データが管理用ＰＣに保存されているかの確認。点検データの上書きを防止するため、前回の点検データが管理用ＰＣに保存されていない場合は、先に進めない。
（ｂ）勤務回が順番通りでない場合の確認。順番通りでなくてもよければ先に進む。
（ｃ）順番回が飛んでいる場合の確認。順番通りでなくてもよければ先に進む。
（２）［処理終了］ボタンをクリックすると未処理データが無いかの確認が行われる。更に、［データ同期］ボタンをクリックすると、管理用ＰＣとＣＳＶデータの同期を行った後に、携帯情報端末の点検データがクリアされる。
【００１９】
区分及び機器画面からの操作の流れは、次の通りである。
（１）点検者は［区分選択］により点検を行う区分を選択する。この区分とは、例えば点検をすべき機器が存在する部屋、点検すべき機器を含んでいる系統など、関連性のある複数の機器からなるグループのことである。［点検状況］には［区分選択］に関わらず、当該［巡視点検シート］及び［管理区域］の全機器の状況が表示される。管理区域とは、例えば放射線管理区域などを指している。
（２）［機器名一覧］には［区分選択］で選択された区分の機器名及び点検状況、値の範囲チェック状況が表示される。なお、点検状況には点検頻度の設定により点検を行わない機器となっている場合にはあらかじめ［○］等の印を付けておく。
（３）点検を行う機器を［機器名一覧］より選択するかＲＦＩＤタグに携帯情報端末を近づけ［トリガキー］を押すことにより選択し、次画面に遷移する。
（４）すべての点検が終了したならば、［点検終了］ボタンによりログイン画面に戻り処理を終了する。
【００２０】
点検値入力画面からの操作の流れは、次の通りである。
（１）区分または機器選択から遷移してきた場合、ＲＦＩＤタグの［前回点検値］を最初から表示する。同時に［管理値（参考値）］及び［校正日］もＣＳＶファイルから読み込み表示する。
（２）点検者は目視により点検データを読み取り、［点検値］として入力する。点検者はＲＦＩＤタグに携帯情報端末を近づけ［Ｅｎｔｅｒ］ボタンを押すことにより点検値、点検日、点検回を書き込む。その際、点検値が管理値（参考値）から逸脱している場合には警報を発すると共に画面上に警告を表示し、書き込みを中断する。その点検値でよい場合は、再度［Ｅｎｔｅｒ］ボタンを押すことで書き込む。また点検値が機器故障等で計測不可の時は、数値入力の場合は『９９９９』を入力し、選択の場合は『点検不可』を選択する。
（３）ひとつの機器の点検が終了すると区分及び機器画面に自動的に戻る。点検者は、そこから次の機器のＲＦＩＤタグに携帯情報端末を近づけ［トリガキー］を押すと、その機器のデータが表示される。
（４）一般権限の点検者が、管理用ＰＣにて機器削除された機器について点検を行おうとした場合は、削除すべき機器である旨を画面に表示して、点検不可であることを点検者に知らせる。
【００２１】
図４は、各画面の遷移状況をまとめた説明図である。ログイン画面で処理を開始し、区分及び機器選択画面で機器選択を行う。すると点検値入力画面が現れ、ＲＦＩＤからデータが読み取られる。そこで、点検値を入力する。点検値がＲＦＩＤに書き込まれ、区分及び機器選択画面に戻る。次の機器を選択すると再び点検値入力画面へ遷移する。点検すべき機器が無くなれば、点検終了でログイン画面に戻る。点検値入力画面で、点検値を入力せずに区分選択が選ばれれば、区分及び機器選択画面に戻る。
【００２２】
図５に、本発明方法において携帯情報端末で実現する巡視点検機能の一覧を示す。巡視点検機能では、点検者別のログイン処理を行い(点検者と点検回が記録される)、点検終了時にはログオフ処理を行う。点検者には一般権限の点検者と管理者の２種類があり、管理者はパスワードの入力を必要とする。なお、点検者名は管理用ＰＣにてあらかじめ登録しておく。メイン制御機能は、携帯情報端末のトップ画面にて機能切替え等のメイン制御を行う機能である。
【００２３】
１．区分選択処理機能：
管理用ＰＣから取り込んだ区分名を選択できるようにする。
２．機器選択処理機能：
区分選択処理の後に、区分ごとの機器名を管理用ＰＣから取り込み表示させる。また、機器毎の点検状況を表示する。点検状況は、記号によって点検済みと未点検の機器を区分けして表示する（点検漏れチェック処理機能）。また、管理値（参考値）の範囲外になっている機器についても記号によって表示する。ガイダンス機能が付加されている場合は、どの場所の機器が点検忘れなのかを地図（部屋平面図）などを用いて点検者に対して具体的に指示する。
３．点検値入力処理機能：
機器毎に、該機器に対応した点検値入力画面を表示する。点検値入力画面には、ここでは管理用ＰＣから取り込んだ機器毎の管理値（参考値）、校正日を表示する。ＲＦＩＤタグから前回点検値を読み取り表示する。最新の点検値及び点検日をＲＦＩＤタグに書き込む。ＲＦＩＤタグが保持する内容は（タグ番号、点検日、点検回、点検値）とする。
４．管理値逸脱警告処理機能：
点検値をＲＦＩＤタグに書き込む際に、点検値が管理値（参考値）の範囲を逸脱していた場合、画面上の表示または音でその旨を警告する。なお、管理値の範囲はあらかじめ管理用ＰＣにて設定して携帯情報端末に転送する。
５．タグ内容消去機能：
ＲＦＩＤタグの内容をすべて消去するために、管理用ＰＣのデータベースから該当する機器のデータを消去した後に携帯情報端末でＲＦＩＤタグのデータを消去する。但し、この機能は管理権限を持つ点検者のみ使用することができる。
６．点検漏れチェック処理機能：
ログオフ時には未点検の機器の有無を警告する。
７．校正有効期限通知機能
巡視の際、携帯情報端末にてＲＦＩＤのデータを読み取ったとき、携帯情報端末の内部時計とＲＦＩＤ内に格納されている機器の校正年月日を比較し、校正有効期限が迫ると、携帯情報端末の画面上に警告を表示させる。
【００２４】
図６に、本発明方法において管理用ＰＣで実現する管理機能の一覧を示す。管理機能では、管理者や機器の登録などの管理処理を行う。メイン制御機能は、管理用ＰＣにて機能切替え等のメイン制御を行う機能である。
【００２５】
１．ＲＦＩＤタグ発行処理機能：
ＲＦＩＤタグを新規に追加するために管理用ＰＣでＲＦＩＤタグの登録を行い、機器登録処理を行う。その後、携帯情報端末にて新規ＲＦＩＤタグヘの初期データの書き込みを行う。
２．機器登録処理機能：
巡視対象機器毎の新規登録、更新、削除を行う。
３．管理値設定処理機能：
ＲＦＩＤタグごとの管理値（参考値）の上限及び下限の登録、更新を行う。
４．データ出力処理機能：
管理用ＰＣ内のデータベースの内容を特定形式のファイルあるいはプリンタなどに出力する。
５．点検者登録処理機能：
管理用ＰＣにて巡視点検を行う者をあらかじめ登録しておく。それにより携帯情報端末でのログイン時に点検者を特定し、管理用ＰＣのデータベースに点検者を記録する。
６．携帯情報端末データ保存読み込み処理：
管理用ＰＣにて携帯情報端末との間で点検値及び管理値（参考値）データの受け渡しを行なう。受け渡しデータの形式は例えばＣＳＶファイル形式とする。
【００２６】
このようにして、機器に取り付けたＲＦＩＤの情報を利用することにより、（１）多数の機器の巡視点検を漏れなく確実に実施でき、また点検値の入力ミスを排除することが可能、（２）点検値外れや過去の点検値の推移をその場で確認できるため、設備の不具合を早期に発見することが可能、（３）機器の校正を適切なタイミングで漏れなく管理することができるため、施設のより安全且つ効率的な操業が可能となる。
【図面の簡単な説明】
【００２７】
【図１】本発明方法を実施するためのシステム構成図。
【図２】ＲＦＩＤ内データと点検値入力画面の例を示す説明図。
【図３】本発明方法の一実施例を示す説明図。
【図４】各画面の遷移状況をまとめた説明図。
【図５】本発明方法において携帯情報端末で実現する巡視点検機能の一覧図。
【図６】本発明方法において管理用ＰＣで実現する管理機能の一覧図。
【符号の説明】
【００２８】
１０  点検対象となる機器
１２  ＲＦＩＤタグ
１４  携帯情報端末
１６  管理用ＰＣ
１８  プリンタ
【図１】
2010061262.tif 000003
【図２】
2010061262.tif 000004
【図３】
2010061262.tif 000005
【図４】
2010061262.tif 000006
【図５】
2010061262.tif 000007
【図６】
2010061262.tif 000008